(57)【要約】      （修正有）【課題】樹木にカラスが巣作りしないように撃退することを目的とし、高低角度が相違して多方面に反射光を照射する鳥獣撃退器を提供する。【解決手段】鏡面板１１ａ，１１ｂ，１１ｃを組み合わせ形成した直方体や斜方体のように頂点で吊下げた際に、吊下げ重心線で非対称形状となる多面体１の適宜な頂点に、吊下げ用リング１２を設け、この吊下げ用リングに戻し連結部２１を介して、ゴム紐２２を装着する。多面体を所望の樹木に吊下げることで、各鏡面板からの反射光が、樹木の揺れに伴って異なる方向及び位置へ照射することになり、鳥獣（カラス）が当該樹木に寄り付かず、巣作りを行われないようにできる。【選択図】図１
0003194390.tif 000002
【実用新案登録請求の範囲】
【請求項１】
鏡面板を組み合わせ形成した多面体の適宜な頂点に、吊下げ用リングを設けてなることを特徴とする鳥獣撃退器。
【請求項２】
鏡面板を組み合わせ形成した多面体の適宜な頂点に、吊下げ用リングを設け、より戻し連結部を介して、ゴム紐を装着してなることを特徴とする鳥獣撃退器。
【請求項３】
多面体が、吊下げリングでの吊下げ重心線で非対称形状である請求項１又は２記載の鳥獣撃退器。
【請求項４】
多面体が長方体である請求項３記載の鳥獣撃退器。
【請求項５】
多面体が斜方体である請求項３記載の鳥獣撃退器。
【考案の詳細な説明】
【技術分野】
【０００１】
本考案は、鳥獣（特にカラス）を撃退するのに使用する鳥獣撃退器に関するものである。
【背景技術】
【０００２】
鳥獣（主としてカラス）の撃退手段として、太陽光の反射を利用する器具が知られている。例えば特許文献１（特開２００２−５８４１５号公報）には、ガラス鏡を表裏背中合わせに張り付けた短冊体を、紐で吊下げた器具が開示されており、特許文献２（登録実用新案第３０５３３０６号公報）には、横長鏡面体と矩形鏡面体をリング体で上下連結し、弾性体で吊下げた器具が開示されている。
【先行技術文献】
【特許文献】
【０００３】
【特許文献１】特開２００２−５８４１５号公報。
【特許文献２】登録実用新案第３０５３３０６号公報。
【考案の概要】
【考案が解決しようとする課題】
【０００４】
特許文献１，２に示された太陽光反射による鳥獣撃退器は、生ごみ収集箇所の上方に吊下げ、板状鏡面体の反射光がカラス（鳥獣）を照射して驚かし、当該箇所にカラスが近づかないようにしている。
【０００５】
しかし前記の光反射は当該地上高の範囲であり、上空を飛翔するカラスを驚かす訳ではない。特にカラスが巣作りする市街地の樹木からカラスを撃退するには、単に前記の板状鏡面体では、反射光の照射範囲が限定されてしまうことと、樹の枝で反射光が阻止されてしまうので、カラスが巣作りしないように効果的に排除するには困難である。
【０００６】
そこで本考案は、樹木にカラスが巣作りしないように撃退することを目的とした鳥獣撃退器を提案したものである。
【課題を解決するための手段】
【０００７】
本考案請求項１記載に係る鳥獣撃退器は、鏡面板を組み合わせ形成した多面体の適宜な頂点に、吊下げ用リングを設けてなることを特徴とするものである。
【０００８】
而して前記多面体を、カラスの巣作り防止対策を施したい樹木やそれに近接する樹木であって、太陽光を受けやすい位置に吊下げ装着すると、樹木は風によって揺れるので多面体は上下動と共に回転運動を行うことになり、その反射光は、異なる高低角と回転角方向への照射となる。
【０００９】
また本考案請求項２記載に係る鳥獣撃退器は、更に鏡面板を組み合わせ形成した多面体の適宜な頂点に、吊下げ用リングを設け、より戻し連結部を介して、ゴム紐を装着してなるもので、樹木と多面体の間にゴム紐を介在させることで、多面体の上下動の振れを拡大し、急激な樹木の動作を吸収し、より戻しによって吊り紐（ゴム紐）の過剰な捻じれを防止する。
【００１０】
また本考案請求項３記載に係る鳥獣撃退器は、特に多面体が、吊下げリングでの吊下げ重心線で非対称形状（例えば長方体や斜方体）としたもので、多面体の吊下げ状態における多面体各鏡面の反射光は各々高低角が相違することになり、反射光照射範囲が広くなる。
【考案の効果】
【００１１】
本考案の構成は上記のとおりで、多面体を所望の樹木に吊下げることで、多面体の各鏡面板からの反射光が、樹木の揺れに伴って異なる方向及び位置へ照射することになり、鳥獣（カラス）が当該樹木に寄り付かず、巣作りを行われないように排除することができたものである。
【図面の簡単な説明】
【００１２】
【図１】本考案の実施形態（第一実施例）の全体斜視図。
【図２】同使用状態の説明図。
【図３】同要部（ゴム紐）の説明図。
【図４】同第二実施例の全体斜視図。
【図５】同第三実施例の全体斜視図。
【図６】同第四実施例の全体斜視図。
【考案を実施するための形態】
【００１３】
次に本考案の実施形態について説明する。図１乃至図３は第一の実施例を示すもので、この第一実施例の鳥獣撃退器は、多面体１と吊下げ部材２で構成されている。
【００１４】
多面体１は、各面の表面が鏡面板１１ａ，１１ｂ，１１ｃ・・・で形成され、適宜な頂点に吊り下げ用リング１２を設けたものである。尚鏡面板１１ａ，１１ｂ，１１ｃ・・・は、樹脂製鏡板でも鏡面研磨を施したステンレス板でも良く、適宜な骨組みの表面に張り付けて多面体１を形成し、吊り下げ用リング１２も当該骨組みに連結する。
【００１５】
吊下げ部材２は、吊下げリング１２に対して着脱自在としたより戻し体２１と、より戻し体２１に結び着けたゴム紐２２からなる。特にゴム紐２２は、複数本のマルゴムや細幅平ゴムを束ねると共に、適宜間隔で結び目２３を形成したもので、単体のゴム紐を採用した場合に比較して、束ねた一本が切損しても他のゴム紐で多面体１の荷重を支持できるので、耐久性に優れたものとなる。
【００１６】
前記の鳥獣撃退器は、カラスが巣作りしないように、所望の樹木Ａの適宜な枝に、前記ゴム紐２２を結び付け、多面体１を吊下げるものである。吊下げ位置は、できるだけ太陽光を受けやすい個所とするものである。
【００１７】
而して吊下げられた多面体１は、樹木が風によって揺れるのに合わせて上下左右に揺れると共に、多面体１自体も風を受けて回転運動を行う。この多面体１に太陽光が当たると各鏡面板１１ａ，１１ｂ，１１ｃ・・・で太陽光を反射する。その反射光は、鏡面板１１ａ，１１ｂ，１１ｃ・・によって異なる高低角の照射となり、且つ多面体１の上下動と回転動作で、樹木Ａの広い範囲に反射光を照射することになる。
【００１８】
従ってカラスが当該樹木Ａに寄り付くことがなく、当然巣作りも行われないものである。
【００１９】
また多面体１は、前記第一実施例に限定されるものではなく、図４（第二実施例）に示す斜方体の多面体１Ａ、図５（第三実施例）に示す三角錐・四角錐の多面体１Ｂ、図６（第四実施例）に示す八面体からなる多面体１Ｃのように、適宜な多面体を採用できるものである。
【符号の説明】
【００２０】
１，１Ａ，１Ｂ，１Ｃ    多面体
１１ａ，１１ｂ，１１ｃ・・・  鏡面板
１２      吊下げ用リング
２        吊り下げ部材
２１      より戻し体
２２      ゴム紐
２３      結び目
【図１】
0003194390.tif 000003
【図２】
0003194390.tif 000004
【図３】
0003194390.tif 000005
【図４】
0003194390.tif 000006
【図５】
0003194390.tif 000007
【図６】
0003194390.tif 000008